(57)【要約】【課題】手の触感で情報を認識できるようにされた熱収縮性筒状ラベルを提供することを主要な目的とする。【解決手段】容器の胴部外周に装着される熱収縮性筒状ラベル１であって、一方の端部２ａと他方の端部２ｂを有する熱収縮性基材フィルム２を備える。一方の端部２ａと他方の端部２ｂは、熱収縮性基材フィルム２がチューブを形成するように、重ね合わされてセンターシールされている。熱収縮性基材フィルム２に、手の触感で情報を認識するための、その周辺が厚み方向に盛り上がった複数の孔５が設けられている。【選択図】図１
2015108810.tif 000002
【特許請求の範囲】
【請求項１】
手の触感で情報を認識できるようにされた熱収縮性筒状ラベルであって、
一方の端部と他方の端部を有する熱収縮性基材フィルムを備え、
前記一方の端部と前記他方の端部は、前記熱収縮性基材フィルムがチューブを形成するように、重ね合わされてセンターシールされており、
前記熱収縮性基材フィルムに、手の触感で情報を認識するための、その周辺が厚み方向に盛り上がった複数の孔が設けられていることを特徴とする熱収縮性筒状ラベル。
【請求項２】
前記複数の孔の主収縮方向における孔幅は、収縮前において０．２ｍｍ以上、装着・収縮後において０．４ｍｍ以上にされている、請求項１に記載の熱収縮性筒状ラベル。
【請求項３】
前記熱収縮性筒状ラベルには情報コードが印刷されており、
前記複数の孔は、該情報コードに近接して設けられている、請求項１又は２に記載の熱収縮性筒状ラベル。
【請求項４】
前記複数の孔は、視覚障害者が触覚で読む字であって、前記盛り上がりによって文字・数字を表現する点字を構成している、請求項１〜３のいずれか１項に記載の熱収縮性筒状ラベル。
【請求項５】
手の触感で情報を認識するための、その周辺が厚み方向に盛り上がった複数の孔が設けられた熱収縮性筒状ラベルの製造方法であって、
一方の端部と他方の端部を有する熱収縮性基材フィルムを準備する工程と、
前記熱収縮性基材フィルムに、前記複数の孔のそれぞれを、該孔の収縮方向における孔幅が０．２ｍｍ以上になるように、レーザによって開孔する工程と、
前記一方の端部と前記他方の端部を、前記熱収縮性基材フィルムがチューブを形成するように、重ね合わされてセンターシールする工程と、を備えた熱収縮性筒状ラベルの製造方法。
【請求項６】
請求項１〜４のいずれか１項に記載の熱収縮性筒状ラベルを容器胴部に装着したラベル付き容器。
【請求項７】
情報コードが印刷された熱収縮性筒状ラベルにおいて、
前記情報コードの位置を手触りによって見つけるための位置検出手段が設けられていることを特徴とする熱収縮性筒状ラベル。
【請求項８】
前記情報コードに隣接してミシン目が設けられており、
前記位置検出手段は、前記ミシン目の一部を前記情報コードの近傍で途切れさせることによって形成されている請求項７に記載の熱収縮性筒状ラベル。
【請求項９】
請求項１〜４、７〜８のいずれか１項に記載の熱収縮性筒状ラベルを装着した容器に充填された食品、医薬品又は化粧品。
【発明の詳細な説明】
【技術分野】
【０００１】
本発明は一般に熱収縮性筒状ラベルに関するものであり、より特定的には、触感で情報コード（ＱＲコード（登録商標）、バーコード等）の位置がわかるように改良された熱収縮性筒状ラベルに関する。この発明はまた複数の孔で点字を構成した熱収縮性筒状ラベルに関する。この発明はさらにそのような熱収縮性筒状ラベルの製造方法に関する。この発明は、さらにそのような熱収縮性筒状ラベルが装着された容器に関する。
【背景技術】
【０００２】
化粧品や食品、日常雑貨品等を包装するために、従来から、缶、瓶、ボトル容器、アルミホイル等による各種のパッケージが用いられてきている。そして自社の商品や他社の類似品を消費者が容易に区別できるように、このようなパッケージにはその形状、色調、表示等の点で多くの工夫がなされてきている。
【０００３】
たとえば、パッケージに配色される色彩を変化させることにより、視覚的に判別する方法がある。また、最近においては、ユニバーサルデザイン、すなわち、色彩などの視覚的情報だけでなく、目の不自由な人にも容易に区別できるようにされたデザインもある。また、利用者が視覚のみに頼らず、形状等の触覚情報からも識別できるようにしたデザインも採用されている。
【０００４】
出願人は、これらに関連して、先に、有用なユニバーサルデザインが施された熱収縮性筒状ラベルの製造技術を提案した（特許文献１参照）。
【０００５】
上記に関連して、特に食品、医薬品、又は化粧品等は、同じ容器を用いながら内容物が全く異なることが多く、視覚障害者にとってこれらを識別することは生活上必須の作業となっている。近年、販売用のバーコードを読み取って製品名を読み上げるバーコードリーダーソフト及び装置が普及してきた。しかし、いまだ視覚障害者にとっては、食品、医薬品、又は化粧品等の容器表面のラベルに印刷されたバーコードの位置を特定することが難しく、バーコードリーダーが製品名を読み上げるまでに時間を要してしまうなどの課題が残っていた。
【先行技術文献】
【特許文献】
【０００６】
【特許文献１】特願２０１３−１０１１２７号
【発明の概要】
【発明が解決しようとする課題】
【０００７】
発明者らは、上記ユニバーサルデザインが施された熱収縮性筒状ラベルの研究の発展としてさらなる鋭意検討を行った。その結果、熱収縮性筒状ラベルの厚み方向に盛り上がった複数の孔を設けることで、手で触れることで情報を認識できるようになることを見出し、本発明を完成するに到った。
【０００８】
それゆえに、この発明の目的は、情報が手の触感で認識できるようにされた熱収縮性筒状ラベルを提供することを目的とする。
【０００９】
この発明の他の目的は、情報コードの位置が手の触感でわかるように改良された熱収縮性筒状ラベルを提供することにある。
【００１０】
この発明のさらに他の目的は、複数の孔で点字を形成できるようにされた熱収縮性筒状ラベルを提供することにある。
【００１１】
この発明のさらに他の目的は、そのような熱収縮性筒状ラベルの製造方法に関する。
【００１２】
この発明のさらに他の目的は、そのような熱収縮性筒状ラベルが装着された容器を提供することにある。
【００１３】
この発明のさらに他の目的は、そのような熱収縮性筒状ラベルが装着された容器及び容器詰め食品・医薬品・化粧品を提供することにある。
【課題を解決するための手段】
【００１４】
本発明は、手の触感で情報を認識できるようにされた熱収縮性筒状ラベルに係り、一方の端部と他方の端部を有する熱収縮性基材フィルムを備える。上記一方の端部と上記他方の端部は、上記熱収縮性基材フィルムがチューブを形成するように、重ね合わされてセンターシールされている。上記熱収縮性基材フィルムに、手の触感で情報を認識するための、その周辺が厚み方向に盛り上がった複数の孔が設けられていることを特徴とする。
【００１５】
この発明によれば、その周辺が厚み方向に盛り上がった複数の孔が設けられているので、触感でその存在が認識でき、かつその複数の孔に込められた情報を手で触ることで判別することができる。
【００１６】
上記複数の孔の主収縮方向における孔幅は、収縮前において０．２ｍｍ以上にされているのが好ましく、０．４ｍｍ以上にされているのがさらに好ましい。収縮前のラベルの孔幅（収縮方向）が０．２ｍｍ以下の場合は、上記厚み方向の盛り上がり量も少なくなり、手の触感による判別が困難であった。装着・収縮後は、孔は大きくなり、装着・収縮後における上記複数の孔の主収縮方向における孔幅は、０．４ｍｍ以上にされているのが好ましく、０．５ｍｍ以上にされているのがさらに好ましい。
【００１７】
上記複数の孔の周辺を形成する盛り上がり部の厚み方向における高さは、ラベルの表面を基準として、収縮前は４０〜８０μｍ程度であり、収縮後は７０〜１２０μｍ程度であるのが好ましい。
【００１８】
センターシール溶剤は、基材フィルムにポリエステル系熱収縮性フィルムを使用する場合、１，３ジオキソランまたはテトラヒドロフランが好ましい、またポリスチレン系熱収縮性フィルムを使用する場合は、テトラヒドロフランまたはメチルエチルケトンが好ましい。
【００１９】
熱収縮性基材フィルムには、紫外線吸収剤、アンチブロッキング剤、滑剤、静電気防止剤、抗菌剤、安定剤等、各種公知の添加剤や異なる樹脂等を合目的的に添加してもよい。
【００２０】
上記容器はポリオレフィン系の樹脂あるいはポリエステル系樹脂で形成されるのが好ましいが、特に限定されない。
【００２１】
ポリオレフィン系樹脂としては、好ましくは、エチレン又はプロピレンを主成分とし、それぞれの単独重合体、又はそれらと共重合可能な他の単量体（オレフィン、ビニル化合物等）とのランダム共重合体、或いは環状オレフィンを含む重合体が挙げられる。ポリオレフィン系樹脂は１種類であってもよいし、２種類以上の混合物としてもよい。
【００２２】
ポリエステル系樹脂としては、好ましくは、ポリエチレンテレフタレート、又はそれと共重合可能な単量体との共重合体が挙げられる。
【００２３】
上記熱収縮性基材フィルムは、センターシールできるものであればよく、特に限定されないが、ポリエステル系樹脂、ポリスチレン系樹脂又はポリオレフィン系樹脂で形成されるのが好ましい。
【００２４】
ポリエステル系樹脂としては、好ましくは一般に共重合ポリエステル樹脂と呼ばれる樹脂が挙げられる。共重合ポリエステル樹脂を構成する酸成分としては公知のものでよく、例えば、テレフタル酸、イソフタル酸、フタル酸、２，６−ナフタレンジカルボン酸等のナフタレンジカルボン酸類、４，４’−ジカルボン酸ジフェニール等のジカルボキシビフェニール類、５−ｔ−ブチルイソフタル酸等の置換フタル酸類、２，２，６，６−テトラメチルビフェニル−４，４’−ジカルボン酸等の置換ジカルボキシルビフェニル類、１，１，３−トリメチル−３−フェニルインデン−４，５−ジカルボン酸及びその置換体、１，２−ジフェノキシエタン−４，４’−ジカルボン酸及びその置換体等の芳香族ジカルボン酸、シュウ酸、マロン酸、コハク酸、グルタル酸、アジピン酸、アゼライン酸、セバチン酸、ピメル酸、ウンデカン酸、ドデカンジカルボン酸、ブラシリン酸、テトラデカンジカルボン酸、タブシン酸、ノナデカンジカルボン酸、ドコリンジカルボン酸等の脂肪族ジカルボン酸及びその置換体、４，４’−ジカルボキシシクロヘキサン等の脂環族ジカルボン酸及びその置換体等が挙げられる。そしてジオール成分としては公知のものでよく、例えば、エチレングリコール、トリエチレングリコール、プロピレングリコール、ブタンジオール、１，６−ヘキサンジオール、１，１０−デカンジオール、ネオペンチルグリコール、２−メチル−２−エチル−１，３−プロパンジオール、２−ジエチル−１，３−プロパンジオール、２−エチル−２−ｎ−ブチル−１，３−プロパンジオール等の脂肪族ジオール類、１，３−シクロヘキサンジメタノール、１，４−シクロヘキサンジメタノール等の脂環族ジオール類、２，２−ビス（４’−β−ヒドロキシエトキシジフェニル）プロパン、ビス（４’−β−ヒドロキシエトキシフェニル）スルホン等のビスフェノール系化合物のエチレンオキサイド付加物、キシリレングリコール等の芳香族系のジオール類、あるいはジエチレングリコール等が挙げられる。
【００２５】
ポリスチレン系樹脂とは、ポリスチレン、耐衝撃性ポリスチレン、グラフトタイプ耐衝撃性ポリスチレン、スチレン−共役ジエンブロックコポリマー、スチレン−共役ジエンブロックエラストマー等、スチレンを構成要素の一つとする樹脂全般をいう。ポリスチレン系樹脂は１種類であってもよいし、２種類以上の混合物としてもよい。
【００２６】
ポリオレフィン系樹脂とは、エチレン又はプロピレンを主成分とし、それぞれの単独重合体、又はそれらと共重合可能な他の単量体（オレフィン、ビニル化合物等）とのランダム共重合体、或いは環状オレフィンを含む重合体が挙げられる。ポリオレフィン系樹脂は１種類であってもよいし、２種類以上の混合物としてもよい。
【００２７】
この発明の好ましい実施態様によれば、上記熱収縮性筒状ラベルには情報コードが印刷されており、上記複数の孔は、該情報コードに近接して設けられている。情報コードに近接して複数の孔が設けられているので、手の触感で情報コードの位置が認識できる。
【００２８】
この発明の他の好ましい実施態様によれば、上記複数の孔は、視覚障害者が触覚で読む字であって、上記盛り上がりによって文字・数字を表現する点字を構成している。複数の孔で点字を構成しているので、情報を手の触感で読み取ることができる。
【００２９】
この発明の他の局面に従う方法は、情報として手の触感で認識するための、その周辺が厚み方向に盛り上がった複数の孔が設けられた熱収縮性筒状ラベルの製造方法に係る。一方の端部と他方の端部を有する熱収縮性基材フィルムを準備する。上記熱収縮性基材フィルムに、上記複数の孔のそれぞれを、該孔の主収縮方向における孔幅が０．２ｍｍ以上になるように、レーザによって開孔する。上記一方の端部と上記他方の端部を、上記熱収縮性基材フィルムがチューブを形成するように、重ね合わされてセンターシールする。
【００３０】
レーザを用いると樹脂が開孔部の周辺で溶融し、孔周辺に融けたフィルムが厚み方向に盛り上がる特徴を利用して、情報を手の触感で認識するための、その周辺が厚み方向に盛り上がった複数の孔を形成するのである。上記複数の孔の主収縮方向における孔幅は、０．２ｍｍ以上にされているのが好ましい。収縮前のラベルの孔幅（主収縮方向）が０．２ｍｍ以下の場合は、レーザ照射時のフィルム溶融量が僅かであるため、孔淵の盛り上がりが少なく、手の触感による判別が困難であった。一方、収縮前のラベルの孔幅が０．２ｍｍ以上になると、孔周辺の盛り上がりが大きくなり、手の触感による認識が容易になることが見出された。
【００３１】
この発明のさらに他の局面に従う、情報コードが印刷された熱収縮性筒状ラベルは、上記情報コードの位置を手触りによって見つけるための位置検出手段が設けられていることを特徴とする。
【００３２】
この発明の好ましい実施態様によれば、上記情報コードに隣接してミシン目が設けられており、上記位置検出手段は、上記ミシン目の一部を上記情報コードの近傍で途切れさせることによって形成されている。
【００３３】
これらの熱収縮性筒状ラベルが装着された容器に、食品、医薬品又は化粧品が充填されるのが好ましい。
【発明の効果】
【００３４】
本発明に係る熱収縮性筒状ラベルによれば、その周辺が厚み方向に盛り上がった複数の孔が設けられているので、手の触感でその存在が認識でき、かつ該複数の孔に込められた情報を手の触感で判別することができる。
【図面の簡単な説明】
【００３５】
【図１】（Ａ）は本発明の実施例１に係る熱収縮性筒状ラベルの斜視図であり、（Ｂ）は図１（Ａ）のＢ方向から見た斜視図である。
【図２】（Ａ）実施例１に係る熱収縮性筒状ラベルを容器に装着した場合の斜視図であり、（Ｂ）は（Ａ）におけるＢ−Ｂ線に沿う断面図であり、（Ｃ）は孔の断面写真である。
【図３】実施例１に係る熱収縮性筒状ラベルの動作を説明する図である。（Ａ）は正面図であり、（Ｂ）は（Ａ）におけるＢ−Ｂ線に沿う断面図である。
【図４】（Ａ）は本発明の実施例２に係る熱収縮性筒状ラベルの斜視図であり、（Ｂ）は図４（Ａ）の点字の部分をＢ方向から見た斜視図である。
【図５】実施例２に係る、熱収縮性筒状ラベルの動作を説明する図である。
【図６】実施例３に係る、熱収縮性筒状ラベルの製造方法を説明する第１の図である。
【図７】実施例３に係る、熱収縮性筒状ラベルの製造方法を説明する第２の図である。
【図８】実施例４に係る熱収縮性筒状ラベルの斜視図である。
【図９】実施例５に係る熱収縮性筒状ラベルの斜視図である。
【発明を実施するための形態】
【００３６】
情報が手の触感で認識できるようにされた熱収縮性筒状ラベルを得るという目的を、熱収縮性基材フィルムに、手の触感で情報を認識するための、その周辺が厚み方向に盛り上がった、位置検出手段である複数の孔を設けることによって実現した。以下、この発明の実施例を、図を用いて説明する。各図中、同一又は相当する部分には同一の参照番号を付し、その説明を繰り返さない。
【実施例１】
【００３７】
図１（Ａ）は、本発明の実施例１に係る熱収縮性筒状ラベル１の斜視図である。図１（Ｂ）は、図１（Ａ）における矢印Ｂ方向から見た拡大図である。これらの図を参照して、熱収縮性筒状ラベル１は、一方の端部２ａと他方の端部２ｂを有する熱収縮性基材フィルム２を備える。熱収縮性基材フィルム２には、ＯＰＳ４５μｍ（グンゼ（株）ＧＭＶタイプ）を使用した。熱収縮性基材フィルム２の裏面には、ＱＲコード（登録商標）３が印刷されている。一方の端部２ａと他方の端部２ｂは、熱収縮性基材フィルム２がチューブを形成するように、重ね合わされてセンターシールされている。４はセンターシール部である。８は、ミシン針又はミシン刃で形成されたミシン目である。熱収縮性基材フィルム２に、手の触感で情報を認識するための、その周辺が厚み方向に盛り上がった複数の孔５が、ＱＲコード（登録商標）３に近接して設けられている。複数の孔５は、レーザ照射によって形成されている。レーザを用いると樹脂が孔５の周辺で溶融し、図１（Ｂ）に示すように、融けたフィルムが厚み方向に盛り上がった複数の孔５を形成できるのである。これについては、後述する。
【００３８】
図２（Ａ）は、得られた熱収縮性筒状ラベル１を容器６の胴部に装着した概念図である。熱収縮は、熱収縮性筒状ラベル１を容器６の胴部に装着し、装着した容器をシュリンクトンネルに通して、熱収縮させることにより行われる。図２（Ｂ）を参照して、孔５の周辺の盛り上がり１０は、熱収縮性筒状ラベルの表裏の両面にできており、円筒容器６の周面に筒状ラベル１を収縮させた場合、盛り上がり１０の下部分が、円筒容器６の表面に接触する。図２（Ｃ）に、孔５の断面写真を示す。容器６への内容物の充填は、容器に熱収縮性ラベル１を装着する前に行っても良いし、シュリンクトンネルを通して熱収縮させた後に行っても良い。
【００３９】
本実施例によれば、図３（Ａ）（Ｂ）を参照して、その周辺が厚み方向に盛り上がった複数の孔５が設けられているので、手７の触感で複数の孔５の存在が認識でき、かつ該複数の孔５の組み合わせによって込められた情報を判別することができる。実施例の場合は、ＱＲコード（登録商標）３に近接して複数の孔５が設けられているので、手７の触感でＱＲコード（登録商標）３の位置を認識できる。暗がりなどで、肉眼によっては判別し難い環境においても、ＱＲコード（登録商標）３の位置が認識できる。
【実施例２】
【００４０】
図４（Ａ）は、本発明の実施例２に係る熱収縮性筒状ラベルの斜視図である。図４（Ｂ）は、図４（Ａ）における、点字９の部分を矢印Ｂ方向から見た拡大図である。これらの図を参照して、熱収縮性基材フィルム１に設けられた、その周辺が厚み方向に盛り上がった複数の孔５の組み合わせにより点字９を構成している。点字９は、視覚障害者が触覚で読む字で、盛り上がりによって文字・数字を表現する。図示した点字９は、例えば、上端から「あ」「い」「う」「え」「お」と記載されている。複数の孔５は、レーザによって開孔されている。複数の孔５の主収縮方向における孔幅は、収縮前において０．２ｍｍ以上、装着・収縮後において０．４ｍｍ以上にされている。収縮後のラベルの孔幅が０．４ｍｍ以上になると、孔周辺の盛り上がりが大きくなり、手の触感による認識が容易になることが見出された。複数の孔５の周辺を形成する盛り上がり部の厚み方向における高さは、ラベルの表面を基準として、収縮前は４０〜８０μｍ程度であり、収縮後は７０〜１２０μｍ程度であった。
【００４１】
図５は、得られた熱収縮性筒状ラベル１を容器６に装着した概念図である。本実施例によれば、その周辺が厚み方向に盛り上がった複数の孔５で点字９が構成されているので、手７の触感で、これらの複数の孔５によって込められた点字情報を判別することができる。視覚障害者が触覚で読むことができる。
【実施例３】
【００４２】
上述のような熱収縮性筒状ラベルの製造方法について、図６と図７（Ａ）を参照しながら説明する。巻出軸１１から巻き出された、ミシン目が入っていない長尺の熱収縮性基材フィルム（ＱＲコード（登録商標）３の印刷入り）２は、数本のガイドローラ１２やニップローラ１３を経て矢印ａの方向に流れて巻取軸１４へ巻き取られる。その過程においてミシン目８と複数の孔５が形成される。すなわち、複数の孔５の加工は、ファイバセンサ１５によりフィルムの印刷パターンの有る無しを検出し、そのタイミングをトリガーとしてレーザコントローラ１６へ取り込み、またパルスゼネレータ１７により測長を行いながらレーザーヘッド１８により部分的にレーザを発振し、複数の孔５を加工する。ミシン目８は、ミシン針又はミシン刃２０により形成する。複数の孔５の位置、数、孔幅及び間隔は、操作パネル１９により設定される。
【００４３】
手で触ることによる認識の容易度は、レーザ照射時の幅方向（フィルム流れａに対して垂直方向）長さに比例する。つまり、レーザ照射による幅方向のフィルムの溶融量が多いほど、孔周辺に融けたフィルムが盛り上がり、手の触感によって認識が容易となる。収縮前のラベルの孔幅（主収縮方向）が０．２ｍｍ以下の場合は、レーザ照射時のフィルム溶融量が僅かであるため、孔淵の盛り上がりが少なく、手の触感による判別が困難であった。一方、収縮前のラベルの孔幅が０．２ｍｍ以上になると、孔周辺の盛り上がりが大きくなり、手の触感による認識が容易になることが見出された。そこで、収縮前のラベルの孔幅が０．２ｍｍ以上になるように、操作パネル１９により設定する。
【００４４】
次に、図７（Ｂ）を参照して、塗布ノズル２１によりセンターシール溶剤を熱収縮性基材フィルム２の一方の端部２ａに塗布する。ニップローラ１３，１３が、熱収縮性基材フィルム２がチューブを形成するように、一方の端部２ａと他方の端部２ｂとを重ね合わさせてセンターシールする。このようにして、ＱＲコード（登録商標）３と複数の孔５とミシン目８が付けられた熱収縮性基材フィルム２の長尺のチューブが得られる。図７（Ｃ）を参照して、断裁用刃で切断し、熱収縮性筒状ラベル１の個片が得られる。
【００４５】
上述した製造方法は、そのまま実施例２に係る点字を作る場合に適用できる。
【００４６】
本発明に係る熱収縮性筒状ラベルは、ＰＥＴボトル、食料品容器、シャンプー、リンス、カラーリンスの区別、化粧用容器、トイレタリー容器、工業用品などが収納されて判別用のラベルを巻く必要のある組容器などに広く用いることができる。
【実施例４】
【００４７】
図８（Ａ）は、実施例４に係る熱収縮性筒状ラベル１を容器６の胴部に装着した概念図である。複数の孔５は、ＱＲコード（登録商標）３の位置を手触りによって見つけるための位置検出手段である。複数の孔５は、情報コードであるＱＲコード（登録商標）３に近接して設けられている。本実施例によれば、複数の孔５をＱＲコード（登録商標）３とセンターシール部４の間に配置し、またミシン目２２ａ又はミシン目２２ｂと複数の孔５とを同一直線状に配置することで、複数の孔５の形成とミシン目２２ａ又はミシン目２２ｂとをひとつの装置で形成することが可能となる。こうすることで、視覚障害者が触覚でミシン目２２ａ又は２２ｂをたどることにより、容易に複数の孔５に到達でき、それに近接して設けられているＱＲコード（登録商標）３を容易に探し当てることができる。同時に、廃棄するときに容器６から熱収縮性筒状ラベル１を容易に取り外すことが一層容易となる。
【００４８】
なお、複数の孔５を情報コードに近接して設ける態様としては、情報コードに対してセンターシール部分とは反対側に設ける態様（図１）、センターシールと情報コードの間に設ける態様（図８（Ａ））などが挙げられる。また、図８（Ａ）に示すように、ミシン目と同一直線上に複数の孔５を設ける場合には、ミシン目２２ａ、２２ｂの孔の大きさまたは間隔と情報コードの位置を認識するための孔５の大きさまたは間隔が異なる方が好ましい。
【００４９】
＜効果の確認＞
効果を確認するため、図８（Ａ）に例示された容器（実施例）と、図８（Ａ）から孔５のみを除いた容器（比較例）を複数準備し、それぞれ液体調味料を充填した食品詰容器を得た。次に、バーコードリーダーとして「Barcode-Talker for らくらくホン（情報処理学会ユニバーサルデザイン協創フォーラム）」をインストールした「らくらくホン７（Ｆ−０９Ｂ。ＮＴＴドコモ）」を用いて、実際に視覚障害者３名が上記食品詰容器のバーコードの位置を発見できるまでの時間を計測した。結果、孔５を設けた実施例では、比較例と比べて、平均して約３倍の速さでバーコードを読み取ることができた（表１）。
【表１】
2015108810.tif 000003
【００５０】
なお、複数の孔５は、図８（Ａ）実施例の変形例である図８（Ｂ）に示すように、ミシン目２２ａ、２２ｂからずれて形成されていてもよい。
【実施例５】
【００５１】
図９は実施例５に係る熱収縮性筒状ラベル１の斜視図である。本実施例に係る熱収縮性筒状ラベル１は、以下の点を除いて図８（Ａ）実施例と同じであるので、同一又は相当する部分には同一の参照番号を付し、その説明を繰り返さない。本実施例の特徴は、図９を参照して、情報コードであるＱＲコード（登録商標）とセンターシールされた部分の間に、該センターシールされた部分に沿ってミシン目２２が設けられており、ＱＲコード（登録商標）３の位置を手触りによって見つけるための位置検出手段は、ミシン目２２の一部をＱＲ（登録商標）コード３の近傍で途切れさせることによって形成されている点である。このように構成しても、視覚障害者が触覚でミシン目２２を上下にたどることにより、容易に、ミシン目の途切れた部分に容易に到達でき、ミシン目の途切れた部分に近接して設けられているＱＲコード（登録商標）３を容易に探し当てることができる。
【００５２】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５３】
本発明によれば、手の触感で情報を認識できるようにされた熱収縮性筒状ラベルが得られる。そのような熱収縮性筒状ラベルは、容器及び容器詰め食品・医薬品・化粧品などに装着して用いられる。
【符号の説明】
【００５４】
１    熱収縮性筒状ラベル
２    熱収縮性基材フィルム
２ａ  一方の端部
２ｂ  他方の端部
３    ＱＲコード（登録商標）
４    センターシール部
５    孔
６    容器
７    手
８，２２，２２ａ，２２ｂ  ミシン目
９    点字
１０  盛り上がり
１１  巻出軸
１２  ガイドローラ
１３  ニップローラ
１４  巻取軸
１５  ファイバセンサ
１６  レーザコントローラ
１７  パルスゼネレータ
１８  レーザーヘッド
１９  操作パネル
２０  ミシン針又はミシン刃
２１  塗布ノズル
【図１】
2015108810.tif 000004
【図２】
2015108810.tif 000005
【図３】
2015108810.tif 000006
【図４】
2015108810.tif 000007
【図５】
2015108810.tif 000008
【図６】
2015108810.tif 000009
【図７】
2015108810.tif 000010
【図８】
2015108810.tif 000011
【図９】
2015108810.tif 000012